(57)【特許請求の範囲】
【請求項１】
回線とのインタフェースをとる網制御ユニットに回線１次側で直流ループ電流を流す直流回路を備えた通信装置であって、
前記直流回路は、
前記直流回路の直流特性を変更するトランジスタと、
前記トランジスタの動作電圧を任意に設定可能とした第１の抵抗と、を並列に備え、
前記第１の抵抗に一定以上の回線電流が流れ、前記トランジスタが動作電圧に達すると、前記トランジスタは、前記直流回路内において回線電流を前記第１の抵抗から当該トランジスタに並列して下段に位置する第２の抵抗に対して流れ込ませることにより、前記直流回路の直流特性を変更し、非線形の直流特性を実現することを特徴とする通信装置。
【請求項２】
前記直流回路が、変更後の前記直流特性の傾きを調節するための第３の抵抗をさらに備え、
前記第１の抵抗および前記第３の抵抗が、前記非線形の直流特性を調節可能となるよう、前記第３の抵抗を前記トランジスタのベースと前記第１の抵抗の出力端との間に接続することを特徴とする請求項１記載の通信装置。
【請求項３】
前記トランジスタによる直流特性の変更の有無を切り換える切換手段を備え、
該切換手段によって直流回路の電気的特性を切り換えることを特徴とする請求項２記載の通信装置。
【請求項４】
前記直流特性の変更の有無を設定するビットスイッチを備え、
該ビットスイッチによる設定内容に基づき、切換手段をオン／オフ制御して前記トランジスタによる直流特性の変更の有無を切り換えることを特徴とする請求項３記載の通信装置。
【請求項５】
前記直流特性の変更の有無を設定するための画面を表示する表示手段と、
該表示手段の設定画面上で直流特性の変更有無を設定する設定手段と、
を備え、
該設定手段による設定内容に基づき、切換手段をオン／オフ制御して前記トランジスタによる直流特性の変更の有無を切り換えることを特徴とする請求項３記載の通信装置。
【請求項６】
前記直流回路の電気的特性を選択するための情報を指定入力する指定手段を備え、
該指定手段からの入力情報に基づき、切換手段によって直流回路の電気的特性を選択的に切り換えることを特徴とする請求項３記載の通信装置。
【請求項７】
前記通信装置には、ダイヤルパルス、ＤＴＭＦ又はＰＢ信号を発呼するダイヤル発呼手段を備え、
該ダイヤル発呼手段の発呼で一般公衆回線網以外の網制御を行う場合は、切換手段による直流特性の変更の有無の切り換えを禁止することを特徴とする請求項３記載の通信装置。
【請求項８】
前記切換手段は、ダイヤル発呼手段のダイヤルナンバーが所定ナンバーである場合のみ、直流特性の変更ありに切り換えることを特徴とする請求項７記載の通信装置。
【請求項９】
前記通信装置には、リンギング信号を検出するリンギング検出手段を備え、
該リンギング検出手段で検出されたリンギング波形が一般公衆回線網以外からの着信を示す場合は、切換手段による直流特性の変更の有無の切り換えを禁止することを特徴とする請求項３記載の通信装置。
【請求項１０】
前記切換手段は、リンギング検出手段で検出されたリンギング波形が一般公衆回線網からの着信を示す場合のみ、直流特性の変更ありに切り換えることを特徴とする請求項９記載の通信装置。
【請求項１１】
前記直流特性の変更の有無に関するパラメータを、一般公衆回線網以外の網制御に関するパラメータ中に含み、一般公衆回線網以外の網制御を行う場合は直流特性の変更を禁止することを特徴とする請求項３記載の通信装置。
【請求項１２】
前記一般公衆回線網以外の網制御に関するパラメータを設定するビットスイッチを備え、
該ビットスイッチによって、直流特性の変更の有無に関するパラメータを変更なしに設定し、一般公衆回線網以外の網制御と連動して切換手段による直流特性の変更を禁止することを特徴とする請求項１１記載の通信装置。
【請求項１３】
前記一般公衆回線網以外の網制御に関するパラメータを設定するための画面を表示する表示手段と、
該表示手段の設定画面上で一般公衆回線網以外の網制御に関するパラメータを設定する設定手段と、
を備え、
該設定手段によって、直流特性の変更の有無に関するパラメータを変更なしに設定し、一般公衆回線網以外の網制御と連動して切換手段による直流特性の変更を禁止することを特徴とする請求項１１記載の通信装置。
【発明の詳細な説明】
【０００１】
【発明の属する技術分野】
本発明は、通信装置に関し、特にファクシミリ装置あるいはファクシミリ機能を有する複写機、プリンタ、カードモデム等の回線インタフェース部に関する。
【０００２】
【従来の技術】
近年、欧州の通信規格が統一されたが（ＣＴＲ２１）、直流特性については従来の規格と異なり、回線に流れる電流を制限する非線形の電流特性を持つ必要がある。また、全ての国の通信規格が統一されたわけではなく、また欧州以外の国も存在するため、通信装置を使用する国に応じ、電流制限の無い従来の回路を持つ網制御ユニットとＣＴＲ２１用の回路を持つ網制御ユニットの２種類のユニット基板が必要となる。さらに、国によっては線形の特性を必要とし、かつ仕向地によって直流特性を変更しなければならないという問題がある。
【０００３】
一方、各国のＰＴＴ規格に準拠された公衆交換機での網接続（外線）以外においては、網特性がその国のＰＴＴ規格に準拠されていないことが多い。特に、小企業や家庭用のＰＡＢＸ、あるいは企業独自に敷設された専用回線用の大型交換機、等の内線交換機においては、内線の網特性は内線交換機メーカによって異なるので、例えば、定電流モードで動作する内線交換機があり、これに接続された通信装置が制限される直流ループ電流より高い電流値で動作するならば、この内線交換機とは網接続が不能となるおそれがある。
【０００４】
なお、一般公衆回線網の網制御に関するパラメータについては、交換機の損傷を防ぐため、一般公衆回線網以外よりも厳格な規格がある。これに対して、一般公衆回線網以外の網制御に関するパラメータについては、汎用性を重んじて広範囲に設定可能であり、電流制限に関しても内線交換機では一般に行われていない。
【０００５】
この種の装置として関連するものには、例えば特開平８−３３５９９４号公報がある。特開平８−３３５９９４号公報に開示された技術では、簡単な構成で各仕向地の電話回線の規格に対応できる直流ループ生成回路を実現するために、フォトリレーにて抵抗を並列に接続することで直流特性の傾きを国ごとに切り換えている。
【０００６】
【発明が解決しようとする課題】
しかしながら、前記特開平８−３３５９９４号公報に開示された技術では、前述のように回線に流れる電流を制限するような非線形の直流特性には対応できない。また、一般公衆回線網以外の網制御で回線に流れる電流を制限することは不要であり、障害発生の原因となる場合がある。
【０００７】
請求項１記載の発明の目的は、このような問題点を改善し、欧州統一規格（ＣＴＲ２１）を満足する非線形の直流特性を実現することが可能な通信装置を提供することにある。
【０００８】
請求項２記載の発明の目的は、このような問題点を改善し、規格に応じて抵抗値を調整することにより、非線形タイプの規格値を満足する直流特性を達成することができる。
請求項３記載の発明の目的は、このような問題点を改善し、１種類の網制御ユニットでＣＴＲ２１の採用国以外にも対応可能な通信装置を提供することにある。
【０００９】
請求項４、５記載の発明の目的は、このような問題点を改善し、サービスマン又はユーザの手軽な操作で一般公衆回線網とそれ以外の規格を満足する直流特性を選択的に実現することが可能な通信装置を提供することにある。
【００１０】
請求項６記載の発明の目的は、このような問題点を改善し、手軽な操作で使用国の規格を満足する直流特性を選択的に実現することが可能な通信装置を提供することにある。
【００１１】
請求項７、８記載の発明の目的は、このような問題点を改善し、送信・送話時、外線／内線に拘わらず、交換機の網特性に合った網接続を自動的に選択することが可能な通信装置を提供することにある。
【００１２】
請求項９、１０記載の発明の目的は、このような問題点を改善し、受信・受話時、外線／内線に拘わらず、交換機の網特性に合った網接続を自動的に選択することが可能な通信装置を提供することにある。
【００１３】
請求項１１〜１３記載の発明の目的は、このような問題点を改善し、一般公衆回線網以外の網制御モードに連動して、一般公衆回線網以外の規格を満足する直流特性を選択的に実現することが可能な通信装置を提供することにある。
【００１４】
【問題を解決するための手段】
請求項１記載の発明は、回線とのインタフェースをとる網制御ユニットに回線１次側で直流ループ電流を流す直流回路を備えた通信装置であって、前記直流回路は、前記直流回路の直流特性を変更するトランジスタと、前記トランジスタの動作電圧を任意に設定可能とした第１の抵抗と、を並列に備え、前記第１の抵抗に一定以上の回線電流が流れ、前記トランジスタが動作電圧に達すると、前記トランジスタは、前記直流回路内において回線電流を前記第１の抵抗から当該トランジスタに並列して下段に位置する第２の抵抗に対して流れ込ませることにより、前記直流回路の直流特性を変更し、非線形の直流特性を実現することを特徴とする。
請求項２記載の発明は、請求項１において、前記直流回路が、変更後の前記直流特性の傾きを調節するための第３の抵抗をさらに備え、前記第１の抵抗および前記第３の抵抗が、前記非線形の直流特性を調節可能となるよう、前記第３の抵抗を前記トランジスタのベースと前記第１の抵抗の出力端との間に接続することを特徴とする。
【００１５】
回線の直流ループを形成する直流回路において、ループ電流を制限することより前記ＣＴＲ２１に対応した非線形タイプの直流特性を実現できる。
【００１６】
請求項３記載の発明は、請求項２において、前記トランジスタによる直流特性の変更の有無を切り換える切換手段を備え、該切換手段によって直流回路の電気的特性を切り換えることを特徴とする。
【００１７】
切換手段で直流回路の電気的特性を切り換え可能とすることによって、非線形タイプだけでなく線形タイプの直流特性を実現できる。
【００１８】
請求項４記載の発明は、請求項３において、前記直流特性の変更の有無を設定するビットスイッチを備え、該ビットスイッチによる設定内容に基づき、切換手段をオン／オフ制御して前記トランジスタによる直流特性の変更の有無を切り換えることを特徴とする。
【００１９】
サービスマンの操作で、切換手段のオン／オフを設定し、非線形タイプだけでなく線形タイプの直流特性を実現できる。
【００２０】
請求項５記載の発明は、請求項３において、前記直流特性の変更の有無を設定するための画面を表示する表示手段と、該表示手段の設定画面上で直流特性の変更有無を設定する設定手段と、を備え、該設定手段による設定内容に基づき、切換手段をオン／オフ制御して前記トランジスタによる直流特性の変更の有無を切り換えることを特徴とする。
【００２１】
ユーザが簡単な操作で、切換手段のオン／オフを設定し、非線形タイプだけでなく線形タイプの直流特性を実現できる。
【００２２】
請求項６記載の発明は、請求項３において、前記直流回路の電気的特性を選択するための情報を指定入力する指定手段を備え、該指定手段からの入力情報に基づき、切換手段によって直流回路の電気的特性を選択的に切り換えることを特徴とする。
【００２３】
例えば、指定手段で通信装置の使用国を指定することによって、その国に適する直流特性を自動的に選択し、切換手段のオン／オフによってその直流特性を実現することができる。
【００２４】
請求項７記載の発明は、請求項３において、前記通信装置には、ダイヤルパルス、ＤＴＭＦ又はＰＢ信号を発呼するダイヤル発呼手段を備え、該ダイヤル発呼手段の発呼で一般公衆回線網以外の網制御を行う場合は、切換手段による直流特性の変更の有無の切り換えを禁止することを特徴とする。
【００２５】
例えば、「０」発呼によって外線発呼を識別し、切換手段をオン／オフすることによって、送信・送話時、交換機の網特性に合った網接続をサービスマン又はユーザの操作によらず、自動的に選択する。
【００２６】
請求項８記載の発明は、請求項７において、前記切換手段は、ダイヤル発呼手段のダイヤルナンバーが所定ナンバーである場合のみ、直流特性の変更ありに切り換えることを特徴とする。
【００２７】
請求項９記載の発明は、請求項３において、前記通信装置には、リンギング信号を検出するリンギング検出手段を備え、該リンギング検出手段で検出されたリンギング波形が一般公衆回線網以外からの着信を示す場合は、切換手段による直流特性の変更の有無の切り換えを禁止することを特徴とする。
【００２８】
例えば、リンギング信号によって外線着信を識別し、切換手段をオン／オフすることによって、受信・受話時、交換機の網特性に合った網接続をサービスマン又はユーザの操作によらず、自動的に選択する。
【００２９】
請求項１０記載の発明は、請求項９において、前記切換手段は、リンギング検出手段で検出されたリンギング波形が一般公衆回線網からの着信を示す場合のみ、直流特性の変更ありに切り換えることを特徴とする。
【００３０】
請求項１１記載の発明は、請求項３において、前記直流特性の変更の有無に関するパラメータを、一般公衆回線網以外の網制御に関するパラメータ中に含み、一般公衆回線網以外の網制御を行う場合は直流特性の変更を禁止することを特徴とする。
【００３１】
一般公衆回線網（外線）と比べ、一般公衆回線網以外（内線）の網制御に関するパラメータは広範囲に設定される。この内線用パラメータの一つに直流制限なしを設けることにより、網制御モードと連動して内線交換機の網特性に合った網接続を自動的に選択する。
【００３２】
請求項１２記載の発明は、請求項１１において、前記一般公衆回線網以外の網制御に関するパラメータを設定するビットスイッチを備え、該ビットスイッチによって、直流特性の変更の有無に関するパラメータを変更なしに設定し、一般公衆回線網以外の網制御と連動して切換手段による直流特性の変更を禁止することを特徴とする。
【００３３】
請求項１３記載の発明は、請求項１１において、前記一般公衆回線網以外の網制御に関するパラメータを設定するための画面を表示する表示手段と、該表示手段の設定画面上で一般公衆回線網以外の網制御に関するパラメータを設定する設定手段と、を備え、該設定手段によって、直流特性の変更の有無に関するパラメータを変更なしに設定し、一般公衆回線網以外の網制御と連動して切換手段による直流特性の変更を禁止することを特徴とする。
【００３４】
【発明の実施の形態】
以下、本発明の実施の一形態を図面を用いて説明するが、本発明はこれに限定されるものではなく、通信装置において通信回線とのインタフェース機能を有する網制御ユニット（ＮＣＵ）の広範囲な応用を含むものである。
【００３５】
〈第１の実施形態〉
図１は、本発明の第１の実施の形態におけるファクシミリ装置の全体構成を示し、図２はそのファクシミリ装置の網制御ユニットの構成を示し、図３はその網制御ユニットの直流回路の構成を示す。
【００３６】
主制御部２１は、ＣＰＵ等で構成され、ＲＯＭ２３に格納された各種制御プログラムに従ってファクシミリ装置内部の処理および各要素の処理を行う。
【００３７】
ＲＡＭ２４は、各種データ及び本装置の全体制御のワークエリア領域等を含み、内／外線切換のゼロナンバー等の特定ダイヤルナンバー、及びリンギング波形を参照するための周波数、カデンスオン／オフ時間、等が保持されている。また、ＲＡＭ２４は、符号化／復号化部２５によってコード化された画像データを蓄積する画像メモリとして兼用される。
【００３８】
符号化／復号化部２５は、送信画像データをＭＨ・ＭＲ・ＭＭＲ符号化方式等の所定の符号化方式で圧縮する一方、受信画像データをＭＨ・ＭＲ・ＭＭＲ復号化方式等の所定の復号化方式で伸張して原データに再生する。
【００３９】
記録部２６は、帯電、トレース、露光、現像、除電、転写、分離、クリーニング等のプロセスを有する公知の電子写真方式で、読取画像データあるいは受信画像データ、レポート、等を所定の解像度で印字出力する。受信画像データについては、３．８５本／ｍｍ、７．７本／ｍｍ、１５．４本／ｍｍ、等の所定の線密度に応じて転写紙に印字出力する。
【００４０】
読取部２７は、原稿の画像を１ラインごとに所定の解像度で光学的に読み取り、その線密度に応じて画像データに変換する。
【００４１】
操作部２８は、各動作のトリガとしてのスタート／ストップキー、ダイヤルキーとしてのテンキー、ワンタッチキー、各動作モードの設定／解除キー、後述の使用国指定キー、その他の各種処理を実行するためのファンクションキー、等のキー群を備え、各キーの押下によって入力された情報を主制御部２１へ送出する。
【００４２】
表示部２９は、液晶・ＬＥＤ等の表示器を備え、操作部２８からの入力・設定情報を表示してユーザに確認させるものである。
【００４３】
モデム２２は、網制御部２０を介して回線網３に接続され、回線網３に送信する画像データを変調する一方、網制御部２０を介して回線網３から受信する信号を復調するものである。また、モデム２２は、ＤＴＭＦ又はＰＢ信号の送信、着信信号の検出、電話／ファクシミリの切り替え、等を行い、所定のファクシミリ伝送制御手順を実行する。
【００４４】
網制御部（網制御ユニット）１は、リンギング／オフフック検出手段（後述の呼出信号検出回路１９を含む）、ダイヤル発呼手段（後述のフォトカプラ１４、トランス１７を含む）、後述の直流回路１５、等を備え、主制御部２１の制御で発着信の際に所定の回線制御を行い、回線の断及び確立を制御する。また、網制御部１には、図示しないハンドセットが接続され、相手局との電話通信等のために使用される。
【００４５】
なお、主制御部２１から電源切換部（図示せず）に電源制御信号を送信することにより、ファクシミリ装置の各ユニットに必要な電源電圧を供給するように構成されている。また、各部はバスラインを通して必要なデータの授受を行っている。
【００４６】
図２に示す網制御ユニット１には、回線との接続をＴＥＬモード又はファクシミリモードに応じて切り換えるリレー１２、回線に流れる電流を検出する電流センサ１１、ＣＮＧ等のトーン信号を検出するＣＮＧトーン検出回路１８、リンギング波形を２値化し、リンギング信号を検出するための呼出信号検出回路１９、直流電圧の極性を合わせるためのダイオードブリッジ１３、直流ループ電流を流すための直流回路１５、直流ループの閉結／開放（直流ループ電流のオン／オフ）を行うと共に、送信時における相手先識別番号であるダイヤルパルスを送出するためのフォトカプラ１４、直流をカットするためのコンデンサ１６、信号を回線１次側から２次側へ伝送し、ＤＴＭＦ又はＰＢ信号をモデム２２から送出するためのトランス１７、を具備している。なお、トランス１７の２次側には、２線側（回線側）と４線側（モデム側）の変換を行う回路が接続されている。
【００４７】
また、直流回路１５は、図３に示すように４個の抵抗Ｒ１〜Ｒ４、２個のトランジスタＴｒ１、Ｔｒ２で構成され、このうち、ＢルートのトランジスタＴｒ２等が直流制限回路を形成している。
【００４８】
次に、ファクシミリ通信動作について説明する。
【００４９】
リンギング検出後にファクシミリ通信を行う場合、リレー１２は呼出信号検出回路１８及びＴＥＬ（ハンドセット）側に切り換わっている。回線からの呼出信号は呼出信号検出回路１８で検出され、その検出信号は前記主制御部のＣＰＵに入力されて呼出信号か判断される。その結果、呼出信号である場合は、ＣＰＵからの命令でリレー１２がトランス１７側に切り換わり、回線が閉結される。
【００５０】
こうして回線が閉結されると直流電流が流れ込み、ダイオードブリッジ１３の＋側からフォトカプラ１４を通って直流回路１５に入り、ここで直流ループが形成され、ループ電流がダイオードブリッジ１３の−側に入り、さらにリレー１２を経由して回線に出力される。
【００５１】
ここで、ファクシミリ通信の信号は回線からリレー１２を通ってダイオードブリッジ１３に入り、その＋側から出力されてフォトカプラ１４、直流回路１５を通ってコンデンサ１６を経由し、トランス１７に入る。トランス１７の１次側巻線を経由して１次側巻線の他端に出た信号は、直流回路１５を通ってダイオードブリッジ１３の−側に入り、リレー１２を経由して回線に戻る。一方、トランス１７で２次側へ伝送された信号は、前記２線４線回路で送信信号と受信信号に分離された後、前記モデムに送られ、変復調される。
【００５２】
次に、本実施形態における直流回路１５の動作を詳しく説明する。
【００５３】
直流回路１５に回線電圧がかかると、抵抗Ｒ２と抵抗Ｒ３の分圧によりトランジスタＴｒ１のベースに電流が流れてオン電圧に達する。トランジスタＴｒ１がオン状態となることで、トランジスタＴｒ１のコレクタからエミッタへ電流が流れる。こうしてＡルートに電流が流れる。
【００５４】
この電流が小さい場合は、Ａルートにある抵抗Ｒ１、Ｒ５に流れるだけなので、（抵抗Ｒ１、Ｒ５の値の和）×電流に比例して回線電圧が増加する。さらに回線電圧が加わると、回線に流れる電流が増加するため、抵抗Ｒ１にある一定以上の電流が流れる。その結果、抵抗Ｒ４を通ってトランジスタＴｒ２のベースに電流が流れてオン電圧に達する。トランジスタＴｒ２がオン状態となることで、トランジスタＴｒ２のエミッタからコレクタへ流れる電流がＢルートの抵抗Ｒ２に流れ込み、回線電圧が上昇する。
【００５５】
以上の動作によって、一定以上の電流が流れない非線形の直流特性にすることができる。なお、前述の欧州統一規格（ＣＴＲ２１）では４０ｍＡ以上にて電流を制限する必要があるため、抵抗Ｒ１の値をトランジスタＴｒ２のオン電圧に合わせて設定する。また、抵抗Ｒ４の値で電流制限での傾きが決定するので、規格に応じて抵抗値を調整することにより、図３（ｂ）に示すような非線形タイプの規格値を満足する直流特性を達成することができる。この非線形タイプは欧州統一規格に特有のものであって、欧州統一規格以外の国の通常の直流特性は線形タイプであり、ＰＡＢＸ等の内線交換機の直流特性も一般的には線形タイプである。
【００５６】
〈第２の実施形態〉
図５は、本発明の第２の実施の形態における直流回路の構成を示す。なお、この直流回路を具備した網制御ユニット及びファクシミリ装置の構成は第１の実施形態と概ね同様であるため、図１、図２を用いるとともに同一構成には同一符号を付与して説明を省略する。
【００５７】
本実施形態では、直流回路１５におけるトランジスタＴｒ２と抵抗Ｒ２との間に切換手段１５１を設け、Ｂルートを任意に接続／切断することが可能なように構成している。この切換手段１５１は、主制御部２１からの信号線により制御可能なリレー（あるいは、フォトカプラ等）を用いて構成されている。
【００５８】
このリレーの動作設定（直流制限有無の設定）は、工場出荷時や出荷後の使用時、表示部２９に直流制限切換の選択画面を表示させ、サービスマン又はユーザが、操作部２８のキー操作等で直流制限切換のオン／オフを画面上で選択・入力することによって行われる。この入力内容は、操作部２８から主制御部２１へ送られ、ＲＡＭ２４に設けられたオン／オフ・フラグに設定・保持される。主制御部２１は、前記オン／オフ・フラグの設定に基づき、前記信号線によって直流制限のオン／オフ設定を切換手段（前記リレー）１５１に指示し、Ａルート又はＢルートに直流ループ電流が流れるように制御する。
【００５９】
こうして、切換手段１５１によってトランジスタＴｒ２と抵抗Ｒ２との間でＢルートを切断した場合は、Ａルートのみに電流が流れ、図４（ａ）に示す線形タイプの規格を満足する直流特性を達成することができる。
【００６０】
次に、図６を参照しながら、発呼時（ダイヤル発呼は自動発呼とする）の直流制限動作について説明する。
【００６１】
まず、発呼時において、ユーザが操作部２８からダイヤルナンバー（送信合図）の入力を開始すると（ステップｓ２０１のＹＥＳ）、主制御部２１はＲＡＭ２４に保持されている直流制限切換フラグを確認する（ステップｓ２０２）。
【００６２】
その結果、直流制限切換フラグがオンであると判断すると（ステップｓ２０２のＹＥＳ）、主制御部２１は切換手段１５１のリレーをオンさせる（ステップｓ２０３）。このリレーのオン動作で、トランジスタＴｒ２と抵抗Ｒ２との間を接続し、Ｂルートを通電可能に形成する。さらに、フォトカプラ１４をオンさせることによって直流ループ電流が閉結されると（ステップｓ２０４）、同時に一定電流以上で直流ループ電流が制限される。すなわち、Ｂルートによって回線に流れる電流を制限して非線形タイプの特性を有する直流ループを形成する。
【００６３】
ここで、ダイヤルパルスを発信する場合はフォトカプラ１４をオン／オフし、ＤＴＭＦ又はＰＢ信号を発信する場合にはモデム２２よりダイヤル発呼の動作を行う（ステップｓ２０５）。
【００６４】
その後、通信／通話が終了すると（ステップｓ２０６）、終了合図として直流ループ電流を開放し（ステップｓ２０７）、切換手段１５１のリレーをオフして（ステップｓ２０８）、全ての動作を終了する。
【００６５】
一方、ステップｓ２０２において、直流制限切換フラグがオフであると判断した場合は、切換手段１５１のリレーをオンせず（初期状態：オフ状態）、トランジスタＴｒ２と抵抗Ｒ２との間を切断し、Ｂルートを不通にする。また、フォトカプラ１４をオンさせて直流ループ電流を閉結し（ステップｓ２０９）、Ａルートによって線形タイプの特性を有する直流ループを形成する。さらに、前述のように発呼動作を行い（ステップｓ２１０）、通信／通話が終了すると（ステップｓ２１１）、直流ループ電流を開放して（ステップｓ２１２）、全ての動作を終了する。
【００６６】
次に、図７を参照しながら、着信時（リンギング着信は自動着信とする）の直流制限動作について説明する。
【００６７】
着信時において、リンギング信号（着信合図）が回線網３から呼出信号検出回路１８を介して入力されると（ステップｓ３０１のＹＥＳ）、主制御部２１は、ＲＡＭ２４に保持されている直流制限切換フラグを確認する（ステップｓ３０２）。
【００６８】
その結果、直流制限切換フラグがオンであると判断すると、切換手段１５１のリレーをオンさせ（ステップｓ３０３）、トランジスタＴｒ２と抵抗Ｒ２との間を接続してＢルートを通電可能にする。さらに、フォトカプラ１４をオンさせて直流ループ電流を閉結することによって（ステップｓ３０４）、一定電流以上で直流ループ電流が制限される。すなわち、Ｂルートによって回線に流れる電流を制限して非線形タイプの特性を有する直流ループを形成する。
【００６９】
その後、通信／通話が終了すると（ステップｓ３０５）、終了合図として直流ループ電流を開放し（ステップｓ３０６）、切換手段１５１のリレーをオフさせて（ステップｓ３０７）、全ての動作を終了する。
【００７０】
一方、ステップｓ３０２において、直流制限切換フラグがオフであると判断すると、切換手段１５１のリレーをオンせず（初期状態：オフ状態）、フォトカプラ１４をオンさせて直流ループ電流を閉結し（ステップｓ３０８）、さらに、通信／通話が終了すると（ステップｓ３０９）、直流ループ電流を開放して（ステップｓ３１０）、全ての動作を終了する。
【００７１】
本実施形態では、直流制限切換フラグの設定に基づき、リレー等の切換手段１５１によってトランジスタＴｒ２と抵抗Ｒ２との間を接続し、回線に流れる電流を制限することで非線形の特性を有する直流ループを形成するとともに、その切換手段１５１によってトランジスタＴｒ２と抵抗Ｒ２との間を切断することで、線形の特性を有する直流ループを形成することができる。すなわち、リレー等の切換手段１５１を追加することにより、回線電流の特性を電流制限あり又はなしに切り換えることができるので、例えば欧州統一規格を採用した国、及び欧州統一規格と異なる通信規格を有する国に対して同一の網制御ユニット１で対応でき、複数の網制御ユニットを用意する必要がなくなる。
【００７２】
なお、本実施形態に限らず、サービスマンが予め操作部２８に設けたビットスイッチで直流制限のオン／オフを切換・設定したり、あるいはディップスイッチ（ＤＩＰＳＷ）の操作で随時、切り換えるように構成してもよい。
【００７３】
〈第３の実施形態〉
図８は、本発明の第３の実施の形態における直流回路の切換動作を示す。なお、この直流回路を具備した網制御ユニットの構成は第２の実施形態と概ね同様であるため、図１、図２、図５を用いるとともに同一構成には同一符号を付与して説明を省略する。
【００７４】
本実施形態では、直流回路１５における切換手段１５の切換条件（例えば、「使用国がＣ国ならば、非線形タイプとする」というような国別タイプ）を予め前記ＲＡＭ等に設定し、前記操作部からの入力情報（例えば、使用国を示す名称、番号、等）と前記切換条件に基づいて、前記主制御部が切換手段１５を切り換えるように構成する。
【００７５】
具体的には、図８に示すようにファクシミリ装置の販売時（あるいは工場出荷時）、前記操作部に設けた使用国指定キーを操作して使用国を指定する（ステップｓ１０１）。この国指定情報は操作部から前記主制御部に送られ、いずれの国か識別されるとともに、この国の規格が線形タイプに属するか判断される（ステップｓ１０２）。
【００７６】
その結果、線形タイプである場合はトランジスタＴｒ２と抵抗Ｒ２との間を切断し、Ｂルートを不通にして線形タイプの特性を有する直流ループを形成する（ステップｓ１０４）。また、非線形タイプである場合にはトランジスタＴｒ２と抵抗Ｒ２との間を接続し、Ｂルートによって回線に流れる電流を制限して非線形タイプの特性を有する直流ループを形成する（ステップｓ１０５）。
【００７７】
本実施形態によれば、前記操作部で使用国を指定すると、その国の通信規格に適する直流特性になるように切換手段１５を切り換えるので、手軽な操作で適格な直流特性を自動的に実現できる。
【００７８】
〈第４の実施形態〉
図９は、本発明の第４の実施の形態における発呼時の直流制限動作を示し、図１０は着信時の直流制限動作を示す。なお、この直流回路を具備した網制御ユニットの構成は第２の実施形態と概ね同様であるため、図１、図２、図５を用いるとともに同一構成には同一符号を付与して説明を省略する。
【００７９】
本実施形態では、発呼時、主制御部２１によって、網制御部１（フォトカプラ１４、トランス１７、等を含む）で送出するダイヤルパルス又はＤＴＭＦ又はＰＢ信号のダイヤルナンバーから、一般公衆回線網による通信かそれ以外の通信かを判断し、切換手段１５１は、主制御部２１の判断結果に応じて自動的にオン／オフ制御される。具体的には、ダイヤルナンバーが「０」の場合は外線発呼（一般公衆回線網による通信）であるため、この場合のみ、切換手段１５１によってトランジスタＴｒ２と抵抗Ｒ２との間を接続し、回線に流れる電流を制限することで、欧州統一基準の非線形特性を有する直流ループを形成する。
【００８０】
また、着信時は、主制御部２１によって、網制御部１（呼出信号検出回路１９等を含む）で検出されたリンギング波形と、予めＲＡＭ２４（又はＲＯＭ２３）に格納されたリンギング波形情報（一般公衆回線網の網制御用パラメータ）と、を比較し、一致する場合は、外線着信（一般公衆回線網による通信）であるため、この場合のみ、前述のように切換手段１５１によって非線形特性を有する直流ループを形成する。
【００８１】
なお、内線（一般公衆回線網以外）／外線（一般公衆回線網）の区別に関する情報（例えば、「０」発信ならば外線、「０」発信以外は内線、という情報）は、操作部２８で予め設定され、ＲＡＭ２４に保持されている。また、内線／外線での網制御に関する各種パラメータ（リンギング信号の波形、レベル、等を含む）は、操作部２８に設けられたビットスイッチ等によって予め入力・設定された後、ＲＡＭ２４に保持される。
【００８２】
次に、図９を参照しながら、本実施形態における発呼時の直流制限動作について説明する。なお、外線発呼は直流制限が必要で、最初のダイヤルナンバー「０」にて外線に切り換え、内線発呼は直流制限が不要で、最初のダイヤルナンバーが「０」でない場合とする。また、ダイヤル発呼は自動発呼とする。
【００８３】
まず、ユーザが操作部２８からダイヤルナンバー（送信合図）の入力を開始すると（ステップｓ４０１）、主制御部２１は、操作部２８から入力されたダイヤルナンバーと、予めＲＡＭ２４に保持されている内／外線切換ナンバーと、を比較してダイヤルナンバーを検証する（ステップｓ４０２）。
【００８４】
その結果、最初のダイヤルナンバーが「０」である場合は（ステップｓ４０３）、外線発呼のために切換手段１５１のリレーをオンさせ（ステップｓ４０４）、トランジスタＴｒ２と抵抗Ｒ２との間を接続してＢルートに通電可能とする。さらに、前述のようにフォトカプラ１４をオンさせて直流ループ電流を閉結し（ステップｓ４０５）、Ｂルートによって回線に流れる電流を制限して非線形タイプの特性を有する直流ループを形成する。この後、発呼動作を行い（ステップｓ４０６）、通信／通話が終了すると（ステップｓ４０７）、直流ループ電流を開放し（ステップｓ４０８）、切換手段１５１のリレーをオフして（ステップｓ４０９）、全ての動作を終了する。
【００８５】
一方、ステップｓ４０３において、最初のダイヤルナンバーが「０」以外の場合は内線発呼であるため、主制御部２１は、切換手段１５１のリレーをオンせず（初期状態：オフ状態）、トランジスタＴｒ２と抵抗Ｒ２との間を切断し、Ｂルートを不通にしておく。また、前述のようにフォトカプラ１４をオンさせて直流ループ電流を閉結し（ステップｓ４１０）、Ａルートによって線形タイプの特性を有する直流ループを形成する。この後、発呼動作を行い（ステップｓ４１１）、通信／通話が終了すると（ステップｓ４１２）、直流ループ電流を開放して（ステップｓ４１３）、全ての動作を終了する。
【００８６】
次に、図１０参照しながら、本実施形態における着信時の直流制限動作について説明する。なお、リンギング波形の周波数、カデンス  オン／オフ時間、等で、外線着信（直流制限が必要）か内線着信（直流制限が不要）かを判断し、リンギング着信は自動着信とする。
【００８７】
まず、回線網３からリンギング信号（着信合図）が入力されると（ステップｓ５０１）、主制御部２１は、回線網３からのリンギング信号と、ＲＡＭ２４に保持されている内／外線リンギングパラメータと、を比較してリンギング波形を検証する（ステップｓ５０２）。
【００８８】
その結果、外線着信の場合は（ステップｓ５０３）、直流制限が必要であるため、前述のように切換手段１５１のリレーをオンし（ステップｓ５０４）、トランジスタＴｒ２と抵抗Ｒ２との間を接続する。さらに、フォトカプラ１４をオンさせて直流ループ電流を閉結し（ステップｓ５０５）、Ｂルートによって回線に流れる電流を制限して非線形タイプの特性を有する直流ループを形成する。この後、通信／通話が終了すると（ステップｓ５０６）、直流ループ電流を開放し（ステップｓ５０７）、切換手段１５１のリレーをオフして（ステップｓ５０８）、全ての動作を終了する。
【００８９】
一方、ステップｓ５０３において、内線着信であると判断した場合は直流制限が不要であるため、前述のように切換手段１５１のリレーをオンせず（初期状態：オフ状態）、トランジスタＴｒ２と抵抗Ｒ２との間を切断した状態としておく。また、フォトカプラ１４をオンさせて直流ループ電流を閉結し（ステップｓ５０９）、Ｂルートを不通にして線形タイプの特性を有する直流ループを形成する。この後、通信／通話が終了すると（ステップｓ５１０）、直流ループ電流を開放して（ステップｓ５１１）、全ての動作を終了する。
【００９０】
なお、本実施形態に限らず、ステップｓ４０１〜ｓ４０３に替えて内線／外線ボタンの押下を検証するステップを設けてもよい。具体的には、内線発信用の内線ボタンと外線発信用の外線ボタンを設け、外線ボタンの押下でいわゆる「０」発呼と同様の処理を行うように構成された装置に適用する。
【００９１】
また、本実施形態に限らず、一般公衆回線網の網制御に関するパラメータ（外線用パラメータ）には所定の規格があり、それ以外のパラメータ（内線用パラメータ）については外線用パラメータよりも広範囲に設定可能な場合には、内線用パラメータの一つに「直流制限なし」を加えて、内線モードへの切り換えに連動して、切換手段１５１のリレーがオフするように制御してもよい。この場合、外線モードへの切り換えに連動して、切換手段１５１のリレーをオンさせる。さらに、外線用パラメータの一つに「直流制限」を加えて、外線モードへの切り換えに連動して、切換手段１５１のリレーがオンするように制御してもよい。
【００９２】
ここで、前述のように表示部２９の画面にパラメータ設定画面を表示し、ユーザによる操作部２８のキー操作で、内線用パラメータを設定してもよいし、あるいは、操作部２８に各種パラメータ設定用のビットスイッチを設け、サービスマン等がこれを操作して内線用パラメータに直流制限なしを選択・設定するようにしてもよい。
【００９３】
あるいは、前述のようにビットスイッチや設定画面からの入力で、直流ループ閉結前の外線発呼／受信時に切換手段１５１をオンして直流ループ電流を制限するように設定してもよい。
【００９４】
このように、内線用パラメータ中に直流ループ電流の「制限なし」を設け、又は及び、外線用パラメータ中に直流ループ電流の制限（直流制限）を設ける（あるいは、前述のように直流ループ電流の制限ありを設定する）ことにより、外線／内線の網制御と連動して交換機の網特性に合った網接続を自動的に選択できる。
【００９５】
なお、前記ＢルートのトランジスタＴｒ２等（図３に示す）が電流制御手段を構成し、リレー、フォトカプラ、等が切換手段（図５の１５１）を構成し、操作部２８、主制御部２１、等が指定手段を構成し、フォトカプラ１４、トランス１７、等を含む網制御部１がダイヤル発呼手段を構成し、表示部２９等が表示手段を構成し、操作部２８等が設定手段を構成し、呼出信号検出回路１９を含む網制御部１がリンギング検出手段を構成する。
【００９６】
【発明の効果】
請求項１記載の発明によれば、網制御ユニットの直流回路において、回線１次側で直流ループを形成する際、電流制限手段（Ｂルートのトランジスタ等）によって直流ループ電流を制限するので、欧州統一規格（ＣＴＲ２１）に適する非線形の直流特性を実現することができる。
請求項２記載の発明によれば、規格に応じて抵抗値を調整することにより、非線形タイプの規格値を満足する直流特性を達成することができる。
【００９７】
請求項３記載の発明によれば、前記ループ電流の制限有無を切り換える切換手段（リレー等）によって直流回路の電気的特性を切り換えるので、ＣＴＲ２１の採用国だけでなく他の国にも対応可能となり、複数種類の網制御ユニットを用意する必要が無く、組立上のメリットが大きい。
【００９８】
請求項４記載の発明によれば、ビットスイッチで直流ループ電流の制限有無を設定し、前記切換手段をオン／オフ制御して直流ループ電流を制限／解除するので、サービスマン等の操作で欧州統一規格（ＣＴＲ２１）に適する非線形の直流特性を実現することができる。
【００９９】
請求項５記載の発明によれば、表示手段（表示部）の設定画面上で直流ループ電流の制限有無を設定し、その設定内容に基づき、前記切換手段をオン／オフ制御して直流ループ電流を制限／解除するので、ユーザ等が容易な操作で欧州統一規格（ＣＴＲ２１）に適する非線形の直流特性を実現することができる。
【０１００】
請求項６記載の発明によれば、前記直流回路の電気的特性を選択するための情報を指定入力する指定手段（操作部等）からの情報に基づき、前記切換手段によって直流回路の電気的特性を選択的に切り換えるので、例えば、通信装置の使用国を指定するだけで、その国の規格に適する直流特性を自動的に選択・実現することができ、組立及び設置上のメリットが大きい。
【０１０１】
請求項７、８記載の発明によれば、ダイヤル発呼手段（網制御部）の発呼で一般公衆回線網以外の網制御を行う場合は、前記切換手段による直流ループ電流の制限を禁止するので、送信・送話時、外線／内線に拘わらず、交換機の網特性に合った網接続を自動的に選択することができる。なお、直流ループ電流の制限／解除については、サービスマン又はユーザの操作は不要であるため、サービスマン又はユーザの負担を軽減することができる。
【０１０２】
請求項９、１０記載の発明によれば、リンギング検出手段（網制御部）で検出されたリンギング波形が一般公衆回線網以外からの着信を示す場合は、前記切換手段による直流ループ電流の制限を禁止するので、受信・受話時、外線／内線に拘わらず、交換機の網特性に合った網接続を自動的に選択することができる。なお、直流ループ電流の制限／解除については、サービスマン又はユーザの操作は不要であるため、サービスマン又はユーザの負担を軽減することができる。
【０１０３】
請求項１１記載の発明によれば、前記ループ電流の制限に関するパラメータを、一般公衆回線網以外の網制御に関するパラメータ中に含み、一般公衆回線網以外の網制御を行う場合はループ電流の制限を禁止するので、一般公衆回線網以外（内線）の網制御と連動して交換機の網特性に合った網接続を自動的に選択することができる。なお、一般公衆回線網（外線）の網制御については、ループ電流の制限に関するパラメータを、外線の網制御に関するパラメータ中に含めるか、あるいは、請求項３、４、５、７、９記載のようにループ電流を制限することで、外線／内線の網制御と連動して交換機の網特性に合った網接続を自動的に選択することができる。
【０１０４】
請求項１２記載の発明によれば、前記ループ電流の制限に関するパラメータ（内線の網制御に関するパラメータに含まれる）をビットスイッチで設定し、前記切換手段をオン／オフ制御してループ電流を制限／解除するので、サービスマン等の操作により、欧州統一規格（ＣＴＲ２１）の適用の要否に拘わらず、内線の網制御と連動して交換機の網特性に合った網接続を自動的に選択することができる。
【０１０５】
請求項１３記載の発明によれば、表示手段（表示部）の設定画面上でループ電流の制限に関するパラメータ（内線の網制御に関するパラメータに含まれる）を設定し、その設定内容に基づき、前記切換手段をオン／オフ制御してループ電流を制限／解除するので、ユーザ等が容易な操作により、欧州統一規格（ＣＴＲ２１）の適用の要否に拘わらず、内線の網制御と連動して交換機の網特性に合った網接続を自動的に選択することができる。
【図面の簡単な説明】
【図１】本発明の第１の実施の形態におけるファクシミリ装置の構成図である。
【図２】本発明の第１の実施の形態におけるファクシミリ装置の網制御ユニットの構成図である。
【図３】本発明の第１の実施の形態における網制御ユニットの直流回路の構成図である。
【図４】本発明の第１の実施の形態における直流回路の非線形タイプ及び線形タイプの電気的特性を示す図である。
【図５】本発明の第２の実施の形態における直流回路の構成図である。
【図６】本発明の第２の実施の形態における直流制限切換動作（発呼時）を示すフローチャートである。
【図７】本発明の第２の実施の形態における直流制限切換動作（着信時）を示すフローチャートである。
【図８】本発明の第３の実施の形態における直流制限切換動作を示すフローチャートである。
【図９】本発明の第４の実施の形態における直流制限切換動作（発呼時）を示すフローチャートである。
【図１０】本発明の第４の実施の形態における直流制限切換動作（着信時）を示すフローチャートである。
【符号の説明】
１  網制御部（網制御ユニット）
１１  電流センサ
１２  リレー
１３  ダイオードブリッジ
１４  フォトカプラ
１５  直流回路
１６  コンデンサ
１７  トランス
１８  呼出信号検出回路
１９  ＣＮＧ／トーン検出回路
２１  主制御部
２２  モデム
２３  ＲＯＭ
２４  ＲＡＭ
２５  符号化／復号化部
２６  記録部
２７  読取部
２８  操作部
１５１  切換手段
【図１】
0003929673.tif 000002
【図２】
0003929673.tif 000003
【図３】
0003929673.tif 000004
【図４】
0003929673.tif 000005
【図５】
0003929673.tif 000006
【図６】
0003929673.tif 000007
【図７】
0003929673.tif 000008
【図８】
0003929673.tif 000009
【図９】
0003929673.tif 000010
【図１０】
0003929673.tif 000011